(57)【要約】  少なくとも１つのネットワークセル（Ｃ１，…，Ｃｎ）を含むと共に前記ネットワークセル内に存在するユーザー（１２５）にネットワークサービスを提供するセル式移動通信網（１００）を計画する方法。該方法は、ａ）前記少なくとも１つのネットワークセルに対してサービスエリアと各ユーザー機器の送信パワーとを初期化するステップ（３０５）と；ｂ）前記サービスエリア内に存在して少なくとも１つのネットワークサービスを使用するユーザー機器から前記少なくとも１つのネットワークセルが受信する全パワーを概算するステップ（３１０）と；ｃ）前記少なくとも１つのネットワークサービスに対してサービス制約の目標クオリティに到達するために、概算された全受信パワーに基づいて前記サービスエリア内に存在するユーザー機器に必要とされる送信パワーを変えるステップ（３１５）と；ｄ）ユーザー機器のうち少なくとも所定の一部分について送信パワーの変化が所定の閾値より小さい安定条件に達するまで、前記ステップｂ）とステップｃ）を繰り返すステップ（３２０）と；ｅ）ステップｄ）の終わりに前記送信パワーに対応する全受信パワーを計算するステップ（３３０）と；ｆ）ステップｅ）で計算された全受信パワーに対応するアップリンク負荷率を計算するステップ（３３０）と；ｇ）計算されたアップリンク負荷率が最大アップリンク負荷率より小さいか否かを確認するステップ（３３０）と、それが否定的な場合には、ｈ）前記サービスエリアを制限するステップ（３３０）と；ｉ）前記ステップｂ）〜ｇ）を繰り返すステップ（３４０、３４５、３５０）とからなる。
2009510854.tif 000002
【特許請求の範囲】
【請求項１】
少なくとも１つのネットワークセル（Ｃ１，…，Ｃｎ）を含むと共に前記ネットワークセル内に存在するユーザー機器（１２５）に少なくとも１つのネットワークサービスを提供するセル式移動通信網（１００）を計画する方法であって、
ａ）前記少なくとも１つのネットワークセルに対してサービスエリアと各ユーザー機器の送信パワーとを初期化するステップ（３０５）と；
ｂ）前記サービスエリア内に存在して前記少なくとも１つのネットワークサービスを使用するユーザー機器から前記少なくとも１つのネットワークセルが受信する全パワーを概算するステップ（３１０）と；
ｃ）前記少なくとも１つのネットワークサービスに対してサービス制約の目標クオリティに到達するために、概算された全受信パワーに基づいて前記サービスエリア内に存在するユーザー機器に必要とされる送信パワーを変えるステップ（３１５）と；
ｄ）前記サービスエリア内に存在するユーザー機器のうち少なくとも所定の一部分について送信パワーの変化が所定の閾値より小さい安定条件に達するまで、前記ステップｂ）とステップｃ）を繰り返すステップ（３２０）と；
ｅ）ステップｄ）の終わりに前記送信パワーに対応する全受信パワーを計算するステップ（３３０）と；
ｆ）前記全受信パワーが最大受信パワーより小さいか否かを確認するステップ（３３０）と、それが否定的な場合には、
ｇ）前記サービスエリアを制限するステップ（３３０）と；
ｈ）前記制限したサービスエリアに対して前記ステップｂ）〜ｇ）を繰り返すステップ（３４０、３４５、３５０）と；
からなる方法。
【請求項２】
計算されたアップリンク負荷率と最大アップリンク負荷率との差に基づいて前記サービスエリアを制限する請求項１に記載の方法。
【請求項３】
前記差に比例して前記サービスエリアを制限する請求項２に記載の方法。
【請求項４】
前記サービスエリアが複数の基本エリア要素からなり、前記制限するステップが、
全受信パワーに対する前記基本エリア要素の夫々の寄与を示すパラメータの値に基づいて前記基本エリア要素の順序付けられたリストを作成するステップと；
前記リストの一端にて前記基本エリア要素の少なくとも１つを廃棄するステップと；
を含む請求項１〜３のいずれか一項に記載の方法。
【請求項５】
前記パラメータがアップリンクのリンク損失を含む請求項４に記載の方法。
【請求項６】
前記パラメータが前記ピクセルにより提供される全トラヒックを含む請求項４に記載の方法。
【請求項７】
前記パラメータが前記ピクセルにより提供されるトラヒックの種類を含む請求項４に記載の方法。
【請求項８】
前記サービスエリアを初期化するステップが、所定の通信チャネルに対して計算されたセルの最良サーバーエリアを初期サービスエリアとして用いることを含む請求項１〜７のいずれか一項に記載の方法。
【請求項９】
前記所定の通信チャネルがコモン・パイロット・チャネルＣＰＩＣＨである請求項８に記載の方法。
【請求項１０】
前記少なくとも１つのネットワークセルに対して各ユーザー機器の送信パワーを初期化する前記ステップが、サービスエリアが初期化された値に依存した特に比例した値に送信パワーを初期化することを含む請求項１〜９のいずれか一項に記載の方法。
【請求項１１】
前記少なくとも１つのネットワークセルに対して各ユーザー機器の送信パワーを初期化する前記ステップが、サービスエリアが初期化された値に基づいてセルに提供されるトラヒック量に依存した特に比例した値に送信パワーを初期化することを含む請求項１０に記載の方法。
【請求項１２】
サービス制約のクオリティが目標サービスの信号対雑音比である請求項１〜１１のいずれか一項に記載の方法。
【請求項１３】
全受信パワーが最大受信パワーより小さいか否かを確認する前記ステップが、ステップｅ）で計算された全受信パワーに対応するアップリンク負荷率を計算するステップと；計算されたアップリンク負荷率が最大アップリンク負荷率より小さいか否かを確認するステップとを含む請求項１〜１２のいずれか一項に記載の方法。
【請求項１４】
請求項１〜１３のいずれか一項に記載の方法のステップを実行する手段を備えたデータ処理システム。
【請求項１５】
コンピュータプログラムがコンピュータシステム上で実行されるとき請求項１〜１３のいずれか一項に記載の方法のすべてのステップを実行するための命令を含んだコンピュータプログラム。
【請求項１６】
少なくとも１つのネットワークセルを含むと共に前記ネットワークセル内に存在するユーザーにネットワークサービスを提供するセル式移動通信網であって、請求項１〜１３のいずれか一項に記載の方法に従って計画されたセル式移動通信網。
【発明の詳細な説明】
【技術分野】
【０００１】
一般に本発明は通信分野に関するものであり、特に移動ユーザー間で通信できる移動通信網に関する。特に、本発明はセル式移動通信網、特に無線通信網に関するものであり、更に特にユニバーサル・モバイル・テレコミュニケーション・システム（ＵＭＴＳ）に準拠した第三世代のセル式携帯電話網などの符号分割多重接続（ＣＤＭＡ）又は広帯域ＣＤＭＡ（ＷＣＤＭＡ）アクセス方式を採用している無線通信網に関する。
【背景技術】
【０００２】
通常、移動通信網は複数のセルからなるセル式構造に基づいて構成され、各セルは、それぞれの無線基地局（ＢＲＳ）又はアンテナから送出される無線電気信号によりサービスを受ける基本領域エリア（「ピクセル」ともいう）のセットとして定義される。
【０００３】
公知のセル式携帯電話網のうち、ＣＤＭＡ又はＷＣＤＭＡ技術を用いるネットワークは、種々のセルにおいて同じ周波数帯域（すなわち「チャネル」）を再使用できるという特徴を有する。したがって、一つのセルから別の隣接セルへの移動通信端末の移動（「ハンドオーバー」と称するイベント）は、「ソフト・ハンドオーバー」と称する手法に従って同じ周波数を用いることにより管理し得る。この手法では、特に「ソフト・ハンドオーバー・エリア」又は「マクロ・ダイバーシティ・エリア」と称する地理的エリアにおいて、移動通信端末が信号を復号でき、したがって多くのアンテナと情報交換でき、よって多くのＢＲＳと情報交換できる。
【０００４】
マクロ・ダイバーシティ・エリアの位置とそれらの大きさは、ネットワークセルの装置の正しい動作及び大きさにとって非常に重要なファクターである。マクロ・ダイバーシティにて動作する移動通信端末は、該端末に同時に接続されているすべてのＢＲＳの資源を使用し、よってマクロ・ダイバーシティ内の端末は、通信を可能にするのに必要な実際の資源よりも多くの資源を使用する。
【０００５】
ＵＭＴＳネットワークの別の特徴は、該ネットワークが複数の異なるネットワークサービス、例えば、電話、ファクシミリ、テレビ電話、インターネット接続及びウェブ・ブラウジング、ストリーミングなどを提供することである。一般にこれらのサービスの各々は、当該サービスに特有の速度（１秒当たりのビット数）及びトラヒック（量、対称又は非対称）に関して特徴を有する。
【０００６】
したがって、セルの大きさを定める際には、各サービスの特徴と、ＣＤＭＡ／ＷＣＤＭＡアクセス技術により提供される１つの無線キャリヤー上でのサービスの連携との両方を考慮すべきである。
【０００７】
また、あらゆるセル式無線移動システムと同様に、ＵＭＴＳネットワークも全体のセルエリア内に共通ブロードキャスト制御チャネルを有する。これらのチャネルは、移動通信端末の無線装置（受信器）に必要なシステム情報を含む。
【０００８】
ネットワークのこれらの特徴ゆえに、ＵＭＴＳネットワークの計画は、従来のセル式移動通信網、特にグローバル・システム・フォー・モバイル・コミュニケーション（ＧＳＭ）規格又は暫定標準（ＩＳ９５）に準拠した第二世代セル式携帯電話網に用いられるアプローチとは実質的に異なるアプローチを必要とする複雑な作業である。
【０００９】
一般に、現在のネットワーク展開の観点からは、本計画は、結果又は出力として調査中の地理的エリア内にＢＲＳを適切に配置することを目的とし、また本計画によって、無線電気セルパラメータ（例えば、アンテナ傾斜、最大利得の方向の方位角、無線パワーなど）のセットを決定することができ、ネットワークオペレータ（例えば、無線キャリヤー）に割り当てられた無線資源の配分が可能となる。これらの出力は、例えば下記のような計画方針に従う計画プロセスによって決定される。すなわち、
-  計画中のエリア内でネットワークサービスによりカバーされる領域の最小値；
-  計画中のエリア内で提供されるもののうち管理されるトラヒックの最大化。
【００１０】
ＵＭＴＳネットワークについて種々の計画技術が知られている。用いるアプローチによって、これらの技術は２つの異なる種類、すなわち統計的計画技術と決定論的計画技術とに分類できる。
【００１１】
統計的計画技術は主にモンテカルロ式のアプローチに基づいている（例えばドキュメント３ＧＰＰ  ＴＲ  ２５．９４２  ｖ３．０．０  ２００１-０６、「ＲＦ  Ｓｙｓｔｅｍ  Ｓｃｅｎａｒｉｏｓ  -  Ｒｅｌｅａｓｅ  １９９９」規格を参照）。通常、「モンテカルロシミュレーション」なる用語は、統計的に独立なスナップショットのセットから成る静的シミュレーションを意味する。研究されているシナリオを固定した後、各スナップショットは、調査されているエリア内のユーザーの異なる分布から開始して生成された確率過程を実現することに存する。あらゆるスナップショットの終わりにて、結果としてネットワーク性能指標が与えられ、手順の終わりに、あらゆるスナップショットにより与えられる種々の性能指標の統計的分析を行う。スナップショットの数は、計画結果の統計的安定性を保証するのに十分な大きさにされる。この方法はかなり特殊であり、特に、相対的に制限された地理的な幅のＵＭＴＳネットワークの性能を調べるのに適している。結果の統計的収束に起因したその本質的な遅さゆえに、この技術は、例えばイタリアなどの国全体の地理的エリアに匹敵した地理的エリアをカバーするＵＭＴＳネットワークの分析には適していない。
【００１２】
静的分析の特徴を保持しつつも、決定論的計画技術は、ネットワークが計画される領域のすべてのピクセルを体系的に考慮する。統計的方法とは異なり、結果を統計的に集成する必要性がなく、決定論的方法は入力データとして１つのユーザー分布を利用し、１つのシミュレーションが実行される。決定論的計画技術は、一般に計画の結果が発展している現実に忠実でなくなっている場合でさえ、相対的に大きな地理的エリアをカバーするＵＭＴＳネットワークを計画するのに適する。
【００１３】
用いるアプローチに関わらず、ここに記載の種類のセル式移動通信網を計画する方法の段階の１つは、アップリンク保証範囲の計画／評価（「アップリンクのパワー制御」ともいう）、すなわち計画中のエリアのピクセル上に位置するＵＥからＢＲＳへのリンクにおける保証範囲の計画／評価である。この段階では、計画中のエリアのピクセル上に位置するＵＥへのトラヒックチャネル毎に必要な送信パワーが計算される。計画中のエリアに属する各ピクセル及び各ネットワークサービスに対し、当該ピクセル上に位置すると共に当該ネットワークサービスを使用する仮想ＵＥへの送信に要する送信パワーが最低であるセルが決定される。このように決定されたセルは、当該ネットワークサービスに限り当該ピクセルのサービング・セルを表す。この段階で計算されたＵＥに必要な最低送信パワーが、一般的なＵＥにより送出可能な最大パワー（計画プロセスへの入力の一つを形成する事前に決められたパラメータ）を超える場合、検討中のピクセルはアップリンクにおけるパワー不足で停止される。換言すれば、現在のネットワーク構成を仮定すれば、当該ピクセル上に位置する一般的なＵＥは当該ネットワークサービスを使用する状態にはない。このことを行なうのに必要な送信パワーが高すぎるからである。一般的なセルが一般的なネットワークサービスに対するサービングセルであるようなピクセルのセットが、アップリンクにおいて当該サービスに対する当該セルの「セル・アップリンク・サービスエリア」を形成する。計画中のエリアの種々のセル及び種々のネットワークサービスに対するセル・アップリンク・サービスエリアのセットが、「ネットワーク・アップリンク・サービスエリア」を形成する。一般的なネットワークサービスについてアップリンクにおけるパワー不足で停止しているピクセルのセットが、アップリンクにおける「サービス停止エリア」を形成する。
【００１４】
本質的に、アップリンクパワー制御段階では、複数のマップセットが決定され、各ネットワークサービスに対して１つのマップセットが決定される。一般的なマップセットは、計画中のエリアのセル数に等しい数のマップを含む。各マップは、夫々のセル（サービングセル）がアップリンクにおいて最低のパワーを必要とするピクセルにより形成され、削除される一般的なネットワークサービスについては、アップリンクにおける送信パワーが一般的なＵＥの所定の最大送信パワーを超えるピクセルにより形成される。
【００１５】
計画プロセスの次の段階（「ダウンリンクのパワー制御」という）では、ＢＲＳから計画中のエリアのピクセル上に位置するＵＥへのリンクにおける保証範囲の計画／評価が実行され、ダウンリンクが制限要因であるか否かを確認する。計画中のエリアの各セルについて、一般的なセルが送出すべきトラヒックチャネル当たりの送信パワーが、当該セルのセル・アップリンク・サービスエリアに属する各ピクセルに対して、及び各ネットワークサービス（すなわち、例えば、電話、ファクシミリ、テレビ電話、インターネット接続（例えば、ウェブブラウジング）サービス）に対して計算される。一般的なピクセルに対して計算されたパワーが、当該ネットワークサービスに関するトラヒックチャネルにサービングセルが送出できる最大パワーを超える場合、当該ピクセルがダウンリンクにおけるパワー不足で「サービス休止」（「停止」）にされる。換言すれば、たとえ当該ピクセル上に位置する一般的なＵＥがＢＲＳと通信するのに必要な送信パワーを送出できたとしても、ＢＲＳは当該サービスを提供するのに必要な送信パワーを維持できる状態にない。一般的なネットワークサービスに関して一般的なセルのサービスエリアに属する停止中のピクセルのセットは、当該ネットワークサービスに対するセルの全サービスエリアを形成する。すべてのネットワークサービス及び計画中のエリアのすべてのセルについて、すべての全サービスエリアの連合を、（計画中のエリア内での）ネットワークのグローバルサービスエリアという。
【００１６】
ダウンリンクパワー制御段階はまた、ダウンリンクについてセルの「容量チェック」を含む。上記の計算に従って概算された一般的なセルに必要な全パワーが、セル（のＢＲＳの電力増幅器）が送出できる最大パワーと比較される。計算された必要とされる全パワーが、セルが送出できる最大パワーを超える場合、セルは容量チェックを合格せず、トラヒック分布及び／又は計画中のエリア内のセルの位置を変更する必要がある。
【００１７】
ＵＭＴＳネットワーク計画方法は、欧州連合により推進されているＳＴＯＲＭＳ（Software Tools for the Optimization of Resources in Mobile Systems）プロジェクトの下で作成されたドキュメントＡＣ０１６／ＣＳＥ／ＭＲＭ／ＤＲ／Ｐ／０９１、標題「ＳＴＯＲＭＳ  Ｐｒｏｊｅｃｔ  Ｆｉｎａｌ  Ｒｅｐｏｒｔ」に記載されている。このドキュメントに記載された計画方法では、干渉／ノイズ限界に基づいてセル（ＢＲＳ）のアップリンク容量が分析される。アップリンクにおける最大セル容量は、セル毎及びサービス種類ごと（ＣＡ，ＣＢ，…，ＣＮ）のアクティブコールの最大数に関し、次の線形系を解くことにより決定される。
【数１】
2009510854.tif 000003
ここで、ηはマルチサービス部分負荷率（全負荷状態に対する）であり、セルの公称負荷と仮定され、ｆｅｘｔｒａは正規化されたセル間干渉係数（環境の特徴である）であり、ＳＡＦｉＵＬは一般的なネットワークサービスについてアップリンクにおけるサービス・アクティビティ・ファクターであり、ＳＩＮＲｉは干渉とノイズと加えたものに対する目標信号の比である。
【００１８】
ファクターｋｉは、各サービス当たりの最大アクティブコールと基準値との比に関して要求されるトラヒック混合を示す。これらのパラメータは、検討中のピクセルに対して提供されるトラヒック混合（単位：アーラン）を示す対応するトラヒック混合数値と整合していなければならない。これらのパラメータを得るために、反復法が採用される。実際、ファクターｋｉは、セルエリア上の異なるサービスのうちアクティブなコールのパーティショニングを示し、すなわち、ファクターｋｉはセルエリア上で提供されるトラヒック負荷を実行するのに必要な回路の最大数に対応する。
【００１９】
よって、それらの数値を求めるためには、セルのトラヒック負荷を知る必要がある。ピクセル当たりのトラヒック負荷（これは入手可能な入力データである）からセルのトラヒック負荷を得るためには、セルの大きさを知る必要がある。しかし、実際にはこれが評価プロセスの最終目標である。この問題を解消するために、反復プロセスが提案される。最初に、セルエリア（すなわち、ピクセルの数）の概算が求められ、サービス当たりの対応するトラヒック負荷の数値が、ピクセル当たり且つサービス当たりのトラヒック値に、概算されたセルのピクセル数を掛けることによって求められる。次に、トラヒック負荷が、アーランＢ式：
Max_Number_of_Users=Erlang_B(Traffic_load; Loss_Probability)
によってアクティブなコールの等価最大数に変換される。
【００２０】
仮定される損失確率は０．０１である。セルトラヒック負荷についてのこの概算に基づいて、ファクターｋｉの値が求められ、ηの前記式に代入される。この式を解くことによってセル容量の新しい値が得られる。（ｋｉの概算のための新たな開始ポイントとして式の解を用いて）プロセスが収束するまで繰り返される。最後に、（所与の損失確率を用いて）アーランＢ式を前のステップの最終結果に適用することにより、対応する最大セル容量（単位：アーラン）が得られる。
【非特許文献１】ドキュメント３ＧＰＰ  ＴＲ  ２５．９４２  ｖ３．０．０  ２００１-０６、「ＲＦ  Ｓｙｓｔｅｍ  Ｓｃｅｎａｒｉｏｓ  -  Ｒｅｌｅａｓｅ  １９９９」規格
【非特許文献２】ＳＴＯＲＭＳ（Software Tools for the Optimization of Resources in Mobile Systems）プロジェクトの下で作成されたドキュメントＡＣ０１６／ＣＳＥ／ＭＲＭ／ＤＲ／Ｐ／０９１、標題「ＳＴＯＲＭＳ  Ｐｒｏｊｅｃｔ  Ｆｉｎａｌ  Ｒｅｐｏｒｔ」
【発明の開示】
【発明が解決しようとする課題】
【００２１】
発明の概要
出願人が分かったことは、特にアップリンクパワー制御段階に関してＵＭＴＳネットワークを計画する公知の方法は、全体の計画方法の効率に影響を与える限界に苦しんでおり、これらの方法により構築されたネットワークは結果として最適化されていないことである。
【００２２】
特に、上記引用したドキュメントに記載の方法を参照すると、反復によって設計目標として予め選択された最大負荷率が得られる。この方法はサービスエリアの簡略化された計算で予備段階（以下、「アドミッション制御」段階という）を実行することに対応し、この予備段階は、次のアップリンクパワー制御段階で実行される計算のためにエリア（すなわち、ピクセルのセット）を定義する目的を有する。
【００２３】
出願人が分かったことは、引用したドキュメントに記載のような公知の計画方法の強力な限界は、予備のアドミッション制御段階で為された仮定に対する、アップリンクパワー制御段階により得られた結果の依存性である。特に、出願人が分かったのは、計画中のエリアのセルが経験し引き起こした干渉についての仮定を、特に一般的なセルに対して最大許容干渉値を設定すること、及び最大許容干渉値についての要件を満たしつつサービスを保証できるエリアを計算することによって簡素化することに基づいて計算エリアが決定されることである。一般的なセルの最大許容干渉値は、アップリンクにおけるセル負荷に対する上限（負荷率η）を設定することにより設定される。セル内の干渉に関する仮定は、セル間干渉係数の値（一般にセルごとに変わる）をアプリオリに設定することにより作られ、この値は、セルによりパワーが直接制御されないリンクから一般的なセルが受信した全パワー（セル間干渉）と、セルによりパワーが直接制御されるユーザー（よって当該サービスに対するセル・アップリンク・サービスエリアに属する）からセルが受信した全パワー（セル内干渉）との比として定義される。
【００２４】
干渉係数の値は、アップリンクにおけるユーザーの送信パワーに密接に関係している。この情報はアプリオリには知られておらず、次のアップリンクパワー制御段階で決定される。よって、アップリンクパワー制御段階の前にアドミッション制御段階を実行するためには、計画中のエリア内での実際の干渉を十分正確には考慮できないという干渉係数の値に対する仮定を立てる必要がある。その結果、このようにして決定された、次のアップリンクパワー制御段階の基礎となる計算エリアは、アップリンクパワー制御段階の後まで知られない実際の干渉条件に十分に近接し得ないかもしれず、計算されたグローバルサービスエリアが非現実的となりネットワークの故障を引き起こすかもしれない。
【００２５】
それにも関わらず、アップリンクパワー制御段階において、一般的なネットワークサービスに対して計算されたサービスエリアが広くなりすぎて、干渉の観点からセルを過負荷にする危険性を有することを回避するために、アップリンクパワー制御段階の前にアドミッション制御段階を実行する必要がある。実際、ＵＭＴＳネットワーク計画の目標の一つは、アップリンクにおけるセル負荷を制限することである。高すぎる平均セル負荷により、ユーザーが経験するサービスのクオリティをさらに悪化させる不安定条件が実際には生じ得るからである。
【００２６】
概略説明した技術状況並びに関連の課題、欠点及び限界を考慮し、出願人はセル式移動通信網の公知の計画方法を改善する一般的な課題に取り組んだ。
特に、出願人はＣＤＭＡネットワークの計画プロセスにおいてアップリンク分析の段階を如何に適切に実行するかの課題に取り組んだ。
【課題を解決するための手段】
【００２７】
出願人が分かったことは、上記課題は下記の反復法を実行することにより解決できることである。すなわち、該反復法では、初期のサービスエリアと初期の機器の送信パワーとから開始して、セルが受信する全パワーを概算し、この全受信パワーに基づいて、機器の送信パワーの変化が閾値よりも小さい安定条件に達するまで、機器の送信パワーを変えてサービス制約の目標クオリティに到達させ、そして、この条件下でセルが受信した全パワーが最大受信パワーより大きい場合には、サービスエリアが制限され、制限されたエリアを用いて上記サイクルが繰り返される。
【００２８】
よって、第１の態様によると、本発明は、少なくとも１つのネットワークセルを含むと共に前記ネットワークセル内に存在するユーザー機器にネットワークサービスを提供するセル式移動通信網を計画する方法であって、
ａ）前記少なくとも１つのネットワークセルに対してサービスエリアと各ユーザー機器の送信パワーとを初期化するステップと；
ｂ）前記サービスエリア内に存在して少なくとも１つのネットワークサービスを使用するユーザー機器から前記少なくとも１つのネットワークセルが受信する全パワーを概算するステップと；
ｃ）前記少なくとも１つのネットワークサービスに対してサービス制約の目標クオリティに到達するために、概算された全受信パワーに基づいて前記サービスエリア内に存在するユーザー機器に必要とされる送信パワーを変えるステップと；
ｄ）前記サービスエリア内に存在するユーザー機器のうち少なくとも所定の一部分について送信パワーの変化が所定の閾値より小さい安定条件に達するまで、前記ステップｂ）とステップｃ）を繰り返すステップと；
ｅ）ステップｄ）の終わりに前記送信パワーに対応する全受信パワーを計算するステップと；
ｆ）前記全受信パワーが最大受信パワーより小さいか否かを確認するステップと、それが否定的な場合には、
ｇ）前記サービスエリアを制限するステップと；
ｈ）前記制限したサービスエリアに対して前記ステップｂ）〜ｇ）を繰り返すステップと；
からなる方法に関する。
【００２９】
好ましくは、計算されたアップリンク負荷率と最大アップリンク負荷率との差に基づいてサービスエリアを制限する。さらに好ましくは、上記差に比例してサービスエリアを制限する。
【００３０】
好ましくは、サービスエリアが複数の基本エリア要素からなり、制限するステップが、
-  全受信パワーに対する基本エリア要素の夫々の寄与を示すパラメータの値に基づいて基本エリア要素の順序付けられたリストを作成するステップと；
-  該リストの一端にて基本エリア要素の少なくとも１つを廃棄するステップと；
を含む。
【００３１】
上記パラメータはアップリンクのリンク損失を含み得る。それに加えて又はその代わりに、上記パラメータはピクセルにより提供される全トラヒックを含み得る。それに加えて又はその代わりに、上記パラメータはピクセルにより提供されるトラヒックの種類を含み得る。
サービスエリアを初期化するステップが、所定の通信チャネルに対して計算されたセルの最良サーバーエリアを初期サービスエリアとして用いることを含み得る。
【００３２】
所定の通信チャネルはコモン・パイロット・チャネルＣＰＩＣＨであり得る。
少なくとも１つのネットワークセルに対して各ユーザー機器の送信パワーを初期化するステップが、サービスエリアが初期化された値に依存した特に比例した値に送信パワーを初期化することを含み得る。
【００３３】
特に、少なくとも１つのネットワークセルに対して各ユーザー機器の送信パワーを初期化するステップが、サービスエリアが初期化された値に基づいてセルに提供されるトラヒック量に依存した特に比例した値に送信パワーを初期化することを含み得る。
好ましくは、サービス制約のクオリティ(quality of service constraint)は目標サービスの信号対雑音比である。
【００３４】
さらに、全受信パワーが最大受信パワーより小さいか否かを確認するステップが、ステップｅ）で計算された全受信パワーに対応するアップリンク負荷率を計算するステップと；計算されたアップリンク負荷率が最大アップリンク負荷率より小さいか否かを確認するステップとを含み得る。
本発明は更に、上記方法のステップを実行する手段を備えたデータ処理システムに関する。
【００３５】
別の態様では、本発明は、コンピュータプログラムがコンピュータシステム上で実行されるとき上記方法のすべてのステップを実行するための命令を含んだコンピュータプログラムに関する。
【００３６】
本発明はまた、少なくとも１つのネットワークセルを含むと共に前記ネットワークセル内に存在するユーザーにネットワークサービスを提供するセル式移動通信網に関するものであり、このネットワークサービスは少なくとも１つのネットワークサービスを含み、該通信網は上記方法を適用することにより得られる少なくとも１つのサービスについてサービスエリアを有する。
【００３７】
以下、限定するものではないが単なる例として添付図面を参照して本発明の態様を詳細に説明することにより、本発明の特徴及び利点が明らかとなろう。
【発明を実施するための最良の形態】
【００３８】
図面を参照すると、図１にはＣＤＭＡネットワーク、特に計画中のＵＭＴＳネットワークの一部が概略的に示されている。このネットワーク部分では所与の地理的エリア内でセル式移動通信が可能である。
【００３９】
参照番号１００により全体的に示された検討中のＵＭＴＳネットワーク部分は、複数のセルＣ１，Ｃ２，Ｃ３，Ｃ４，…，Ｃｎ（円で略示）を含み、各セルはそれぞれのエリア保証範囲（円の領域）を有する。セルＣ１，Ｃ２，Ｃ３，Ｃ４，…，Ｃｎは各々、複数のピクセルから構成され、すなわち、これらのセルは夫々のセルのＢＲＳ（アンテナとして図示）が送出する無線電磁信号でカバーされサービスが与えられる地理的ポイントのセットである。
【００４０】
通常、３〜６個（平均して）のセルのグループが、「ノードＢ」と称するネットワーク事業体（図中のノードＢ１０５ａ及び１０５ｂなど）により管理される（ここでは単なる例として、セルＣ１、Ｃ２、Ｃ３、及びＣ４がノードＢ１０５ａにより管理され、セルＣｎがノードＢ１０５ｂにより管理されることが仮定されている）。
【００４１】
ノードＢのグループは、図中に示されたＲＮＣ１１０などの無線ネットワークコントローラ（ＲＮＣ）により管理される。ＲＮＣはコアＵＭＴＳネットワーク１１５に接続される。
セルＣ１内に位置するように図示されたＵＥ１２５のような一般的なＵＥは、異なるセル（例えばセルＣ１とＣ２）の送信器により送信されてアンテナにより送出された信号を受信でき、それらを弁別できる。
【００４２】
異なる送信器から来る信号のこのような弁別は、ＵＭＴＳ規格においてＣＤＭＡ／ＷＣＤＭＡ接続技術を採用することによって可能となる。当業者には公知でもあり、本発明の態様を理解するのに関係ないので過度な詳細には立ち入らないが、各送信器（特に、一般的なネットワークセルの送信器）は、送信される信号を拡張した後にスクランブルする。スペクトルを「広げ」てチャネル帯域幅の全体にそのパワーを配分する（よって下げる）ために、所与のシンボルレート（通常、ビットレートという）を有して送信されるべき信号（データ）に対して、まず、拡張コードを用いる拡張プロセスを行なう。拡張コードは、送信される信号よりも多数のシンボルを有するので、拡張された信号のシンボルレート（専門語では「チップレート」）は、最初の信号のビットレートよりも高い。次に、拡張された信号に対して、スクランブルコード又はスクランブル系列を用いてスクランブルプロセスを行なう。信号スクランブルプロセスはチップレートを変えないので、「無線で」送信される信号のチップレートは拡張された信号のチップレートと同じである。スクランブルプロセスは、異なるセルの送信器により送信された信号を区別できるようにするために用いられる（スクランブルコードがセルに適切に割り当てられているという条件で）。
【００４３】
図１に概略的に示された地理的エリアを、計画すべきＵＭＴＳネットワークのエリアであると仮定する。
図２の概略フローチャートはネットワーク計画プロセス２００の主な段階又はステップを示す。後に詳細に分析される計画プロセスの種々のステップは、図示されたものとは異なる時間順序で実行できることに留意されたい。
計画中のエリアは基本エリア又はピクセル（例えば５０ｍ×５０ｍの正方形エリア）に理想的に分割される。
【００４４】
まず、所与の最初のネットワーク構成（ＢＲＳ／セル、各ＢＲＳの無線機器などの数及び位置）に対して、種々のネットワークセルの電磁保証範囲が計算される（ブロック２０５）。電磁保証範囲を計算することは、特に各「保証範囲」の大きさと特徴、すなわち一般的なセルの放射アンテナから一定の半径（例えば、８０Ｋｍ）内で無線電気信号が受信されるピクセルの位置を決めることを意味する。
【００４５】
次に、種々のセルのいわゆる「最良サーバーエリア」を計算する（ブロック２１０）。このステップの結果として、計画中のエリアに属するすべてのピクセルが夫々のネットワークセル、すなわち夫々のＢＲＳ（当該ピクセルの「最良サーバーセル」という）に一義的に割り当てられる。特に、一般的なピクセルの最良サーバーセルは、コモン・パイロット・チャネル（ＣＰＩＣＨ）に関する限り、計画中のエリアに属する他のセルすべてにより送出される信号のパワーレベルに比べて最高のパワーレベル（ＲＳＣＰ）を有する信号をＢＲＳが送出するセルである。
【００４６】
次に、ネットワークに提供されるトラヒックの分布を、計画中のエリアにおいて異なるネットワークサービスについて計算する（ブロック２１５）。その結果、各ネットワークサービス（例えば、電話、ファクシミリ、テレビ電話、インターネット接続、ストリーミングなど）により各ピクセルに提供されるトラヒックについての概算が得られる。
【００４７】
次に、ネットワークのアップリンク保証範囲を計画／評価するアップリンク分析段階（ブロック２２０）を行なう。この段階では、ＢＲＳのアップリンク容量を干渉／ノイズの限界に基づいて分析する。アップリンク分析の結果、複数のマップセットが決定され、各ネットワークサービスに対して１つのマップセットがある。一般的なマップセットは、計画中のエリアのセル数に等しい数のマップを含む。各マップは、夫々のセル（サービングセル）がアップリンクにおいて最低のパワーを必要とするようなピクセルによって形成され、当該ピクセル上に位置する仮想ＵＥに必要なアップリンクの送信パワーが一般的なネットワークサービスについて所定のＵＥ最大送信パワーを超えるようなピクセルは廃棄する。よって、一般的なセル及び一般的なネットワークサービスについて計算されたピクセルマップを、当該ネットワークサービスの「セル・アップリンク・サービスエリア」という。以下では、本発明の一態様によりアップリンク分析を実行する方法について詳しく説明する。
【００４８】
計画プロセスの次の段階では、ダウンリンク分析又はダウンリンク保証範囲の計画／評価が実行される。特に、この段階（「ダウンリンクパワー制御」ともいう）（ブロック２２５）では、所与のネットワーク構成（これに基づいてアップリンク保証範囲が評価された）についてダウンリンクが制限要因であるか否かを調べるために、計画中のネットワーク部分によるダウンリンク保証範囲の評価が実行される。
【００４９】
計画中のエリアに属する各セルについて、アップリンク分析ステップで計算されたセル・アップリンク・サービスエリアが考慮される。セル・アップリンク・サービスエリアに属する各ピクセル、及びすべてのネットワークサービスについて、サービスの最大ビットレートが保証されることを仮定し、当該セルに必要とされるトラヒックチャネル当たりのパワーが計算される（よって、当該ピクセル上に位置する一般的なＵＥとの接続をサポートし当該ネットワークサービスを利用するのに必要なパワーが計算される）。一般的なピクセルがネットワークにより「サービスされている」と考えるためには、セルに必要なトラヒックチャネル当たりのパワーは、トラヒックチャネル当たりセルにより送出可能な最大パワーを超えるべきでない。一般的なピクセルについて計算されたパワーが、当該ネットワークサービスについて当該セルによりトラヒックチャネル当たり送出可能な最大パワーを超える場合には、ダウンリンクにおけるパワー不足で当該ピクセルは停止される。一般的なサービスの一般的なセル・アップリンク・サービスエリアに属すると共にダウンリンクのパワー不足で停止されていないピクセルのセットが、当該サービスについてのセルの「セル・グローバル・サービスエリア」を形成する。種々のネットワークサービスについて計画中のエリアの種々のセルのセル・グローバル・サービスエリアの連合が、「ネットワーク・グローバル・サービスエリア」を形成する。一般的なネットワークサービスについてダウンリンクにおけるパワー不足で停止しているピクセルのセットが、当該サービスの「ダウンリンク停止エリア」を形成する。
【００５０】
ダウンリンクパワー制御段階はまた、ダウンリンクにおいて送出される全パワーについてのセル容量のチェックを含む。次に、一般的なセルに必要な全パワー（すべてのネットワークサービスについてすべてのトラヒックチャネルに対してセルにより送出しなければならない全パワーと、共通チャネル（ＣＰＩＣＨ、ＳＣＨなど）に対してセルにより送出されるパワーとを加えたもの）が、当該セルにより送出可能な最大パワーと比較される。
【００５１】
必要とされる全パワーが送出可能な最大パワーを超えないならば、一般的なセルは容量チェックを合格する。よって、一般的なネットワークサービスのセル・グローバル・サービスエリアは、下記ａ）及びｂ）に記載のようなすべてのピクセルを含むことになる。
ａ）当該ネットワークサービスについて、アップリンクにおいてトラヒックチャネル当たり必要なパワーが、一般的なＵＥにより送出可能な最大パワーを超えないこと；及び
ｂ）当該ネットワークサービスについて、ダウンリンクにおいてトラヒックチャネル当たり必要なパワーが、当該セルによりトラヒックチャネル当たり送出可能な最大パワーを超えないこと。
【００５２】
そうではなく、必要な全パワーがセルの送出可能な最大パワーを超える場合には、容量チェックは合格せず、すなわちセルは容量超過である。よって、セル・グローバルサービス・エリアは上記条件ａ）及びｂ）を満たすピクセルのサブセットを含むことになり、このサブセットは、更なる下記条件ｃ）を満たすピクセルにより形成される。
ｃ）すべてのネットワークサービスについてセル・グローバル・サービスエリアのピクセル上に位置するすべてのＵＥに送出される全パワーが、当該セルにより送出可能な最大パワーに等しいこと。
【００５３】
このようなピクセルのサブセットは、例えば、増加する減衰値により上記条件ａ）及びｂ）を満たすすべてのピクセルをソートすること、及びこのようにして得られたピクセルのソート済みリストのうち、減衰が最小のピクセルから開始して、条件ｃ）を満たすリスト中の最初のｋ個のピクセルを選択することによって決定し得る。
【００５４】
また、容量超過のセルが見つかると、計画プロセスへの入力について立てられた仮定、例えば提供されるトラヒックの分布や計画中のエリア内でのセルの位置を再考する必要があるかもしれない。
【００５５】
以下、本発明の一態様によるアップリンク分析を実行する方法について図３の概略フローチャートを参照して説明する。
【００５６】
最初に、対応する定義と共にパラメータのリストを示すが、これらは、本明細書に記載の本発明の態様によるアップリンク分析方法についての説明において言及されている。
【表１】
2009510854.tif 000004
【００５７】
最初に（ブロック３０５）、ＵＥ送信パワーとサービス停止エリアとが初期化される。特に、計画中のエリアに属する各ピクセル（ｍ，ｎ）、及び一般的なピクセル（ｍ，ｎ）上に存在する各ＵＥについて、各ネットワークサービスｓに夫々必要な送信パワーｐ（ｍ，ｎ），ｓＤＣＨが０に初期化される。
【数２】
2009510854.tif 000005
必要な送信パワーｐ（ｍ，ｎ），ｓＤＣＨを０に初期化した結果、サービス停止中のピクセルのセットΨｓ，∀ｓ∈Ｓは、提供の予定されたネットワークサービスのセットＳに属する各ネットワークサービスｓについて空のセットに初期化される。本発明の別の態様では、必要な送信パワーｐ（ｍ，ｎ），ｓＤＣＨを、０とは異なる値、例えばここで考慮中の例では最良サーバー（ＣＰＩＣＨ）エリアである初期サービスエリアに依存した（例えば比例した）値、又は前記ピクセル（ｍ，ｎ）に提供されるトラヒックに依存した（例えば比例した）値に初期化してもよいことに留意されたい。
【００５８】
次に、ＵＥに必要なアップリンクパワーを制御するループに入る。
特に、ループの各反復において、有効な周波数帯域の全体にわたって一般的なセルＣｊによりアップリンクにおいて受信される全パワーＲＴＷＰｊが次のように計算される（ブロック３１０）。
【数３】
2009510854.tif 000006
【００５９】
計算された全受信パワーＲＴＷＰｊに基づいて、ＵＥに要求される必要送信パワーの新しい値が、計画中のエリアのすべてのピクセル（ｍ，ｎ）及びすべてのネットワークサービスｓについて計算される（ブロック３１５）。この計算はまた、各ネットワークサービスについてのセルサービスエリアの計算を伴う。これらの計算の目的は、計画中のエリアの各ピクセル（ｍ，ｎ）及び各ネットワークサービスｓについて、当該ピクセル上に位置すると共に当該サービスを利用する仮想ＵＥに対して最小送信パワーを要求するセルを決定すること、及びこの最小送信パワーの量を決定することである。ピクセル（ｍ，ｎ）上に位置するＵＥのパワーを制御できるセルは、対応するＲＳＣＰ（ｍ，ｎ）ｊ値がたかだたＲＳＣＰ（ｍ，ｎ）ＢＥＳＴ値より小さいＭＤ ｄＢであるセルＣｊ（ｊ＝１…Ｎｃｅｌｌｓ）すべて、すなわち当該ピクセル（ｍ，ｎ）で受信した夫々のＣＰＩＣＨでのパワーが最良サーバーセルのＣＰＩＣＨで受信したパワーに比べて［ＲＳＣＰ（ｍ，ｎ）ＢＥＳＴ−ＭＤ；ＲＳＣＰ（ｍ，ｎ）ＢＥＳＴ値］の範囲にあるようなセルすべてである。
【００６０】
よってセットΔ（ｍ,ｎ）は次のように構築される。
【数４】
2009510854.tif 000007
【００６１】
計画中のエリアの各ピクセル（ｍ，ｎ）、セットΔ（ｍ，ｎ）に属する各セルＣｊ、及び各ネットワークサービスｓ∈Ｓｊについて、目標ＳＮＲを保証するために当該ピクセル上に位置する仮想ＵＥに対してセルＣｊにより要求される送信パワーが次のように計算される。
【数５】
2009510854.tif 000008
【００６２】
計算されたＵＥ送信パワーは、一般的なＵＥに対して設定された所定の最大／最小定格内に入る必要があり、これは計画プロセスへの入力と考えられ、次式により与えられる。
【数６】
2009510854.tif 000009
【００６３】
次に、セットΔ（ｍ，ｎ）に属するすべてのセルのうち最小送信パワーをＵＥに要求するセルが決定される。このようなセルは、一般的なネットワークサービスに関する限り、ループの一般的な現在の反復でのピクセル（ｍ，ｎ）のサービングセルである。
【００６４】
このように、セットΔ（ｍ，ｎ）に属する各セルＣｊ及び各ネットワークサービスｓ∈ＳｊについてセットΩｊｓが次のように計算される。
【数７】
2009510854.tif 000010
【００６５】
よって、ネットワークサービスｓについてピクセル（ｍ，ｎ）上に位置する一般的なＵＥに対して当該ピクセルのサービングセルにより要求される送信パワーは（ループの一般的な現在の反復にて）次のように計算される。
【数８】
2009510854.tif 000011
【００６６】
ループの一般的な現在の反復時に一般的なサービスｓについてサービス停止のエリアΨｓが、計画中のエリアに属する任意のセルＣｊについて計算されたセットΩｊｓのどれにも属さないセットΦｓに属するピクセル（ｍ，ｎ）のセットとして定義される。すなわち次の通りである。
【数９】
2009510854.tif 000012
【００６７】
計算されたＵＥ送信パワーに関する限り、収束に達し、それが安定条件の到達により確認されたならば（判断ブロック３２０）、ループを出る。特に、安定性の条件はパワー許容範囲Ｔｏｌ＿ＵＥ＿Ｐｗ（十分小さく、例えば０．５ｄＢ〜１ｄＢ）を設定することで決定される。ループにおいて一般的な（ｋ-１）回目の反復から次のｋ回目の反復に移る際に、次の条件が成り立てば、安定条件に到達したと判定される。すなわち、計画中のエリア上の各ピクセル（ｍ，ｎ）、及び各サービスｓについて
【数１０】
2009510854.tif 000013
すなわち、計算された必要パワーの変化が、設定された許容範囲よりも小さいという条件である。
【００６８】
ループを出た後、アップリンクにおけるすべての負荷率が高くても所定の最大負荷率に等しいか否かを確認すべく制御が行われる（ブロック３２５）。一般的なセルＣｊについてアップリンクにおける負荷率は次のように定義される。
【数１１】
2009510854.tif 000014
計画中のエリアのすべてのセルＣｊについて次の条件を満たせば、この検査は合格である。
【数１２】
2009510854.tif 000015
この検査が合格したなら、手順は終了する。負荷率についての検査が合格しなければ、過密制御が実行される（ブロック３３０）。検査を合格していない計画中のエリアのセルすべて、すなわち次の条件
【数１３】
2009510854.tif 000016
を満たすセルのすべて、すなわち所定の最大負荷率を超える計算された負荷率を経験すると共に、空でないサービスエリアを有するセルすべてにより、セットθが構築、形成される。
【００６９】
セットθに属する各セルＣｊについて、それぞれのアップリンク過密指標Ｃｏｎｇ−ＵＬｊが次式により計算される。
【数１４】
2009510854.tif 000017
ここで、ξ（ηｊ，ηＭＡＸ）は、０（０は含まない）〜１００の範囲の値を戻す負荷率の関数を示す。特に、単なる例として（関数ξ（ηｊ，ηＭＡＸ）の他の形式も可能である）、関数ξ（ηｊ，ηＭＡＸ）は次の形式を取ることもできる。
【数１５】
2009510854.tif 000018
換言すれば、アップリンク過密指標Ｃｏｎｇ-ＵＬｊは、アップリンクにおいて一般的なセルＣｊが経験すると共に当該セルに対して計算された負荷率ηｊと最大負荷率ηＭＡＸとの差に依存する過密の尺度を与える数である。
【００７０】
セットθに属する各セルＣｊ、及び提供の予定されたサービスのセットＳに属する各ネットワークサービスｓについて、過密緩和関数βが用いられる。過密緩和関数βは、一般的なセルのアップリンク過密指標Ｃｏｎｇ-ＵＬｊに適用され値Ｃｏｎｇ＿Ｔｉｃｋｓ（好ましくは０〜１の範囲）を戻す演算子である。この値Ｃｏｎｇ＿Ｔｉｃｋｓは、アップリンクにおける過密ゆえにサービス停止されるネットワークサービスｓに関してセルＣｊのサービスエリアΩｊｓの一部であるもののうち、ピクセルの数をパーセントで表す。過密緩和関数β、
【数１６】
2009510854.tif 000019
は例えば階段状の形状をとることができ、アップリンク過密指標Ｃｏｎｇ-ＵＬｊの値が減少するにつれて０から１に増える。単なる例として、過密緩和関数βは次のように記載できる。
【数１７】
2009510854.tif 000020
【００７１】
セットθに属する各セルＣｊについて、各ピクセル（ｍ，ｎ）のソート関数が次式の通り構築される。
【数１８】
2009510854.tif 000021
ここで考えている例ではソート関数は、リンク損失Ｌｏｓｓ（ｍ，ｎ），ｊ、一般的なセルＣｊによりサポートされセットＳ中に含まれるネットワークサービスのサブセットＳｊ、及びＵＥの数Ｔ（ｍ，ｎ），ｓの関数である。ネットワークサービスｓに関しセルＣｊのセット（サービスエリア）Ωｊｓに属するピクセル（ｍ，ｎ）は、２つの一般的なピクセル（ｍ１，ｎ１）及び（ｍ２，ｎ２）をとったとき、下記の条件、
【数１９】
2009510854.tif 000022
を満たす場合にのみピクセル（ｍ１，ｎ１）がピクセル（ｍ２，ｎ２）に先行するように順序付け関数を適用することによってソートされる。例えば、順序付け関数は、損失Ｌｏｓｓ（ｍ，ｎ），ｊにより単純に表すことができ、その場合には、一般的なピクセルは、その損失が他方のピクセルの損失より小さいとき該他方のピクセルに先行する。より一般的には、セルのアップリンク負荷率への夫々の寄与を示す１以上のパラメータ（例えばリンク損失、ピクセルにより提供されるトラヒック、トラヒックの種類が挙げられる）に基づいてピクセルをソートできる（例えば、緊急コールは通常コールよりも優先し得る）。
【００７２】
セットθに属する各セルＣｊ、及びサブセットＳｊに属する任意のネットワークサービスｓについて、セルＣｊのセルサービスエリアの大きさ（ピクセル数で示される）はＣａｒｄ［Ωｊｓ］により示される。前に計算されたサービス停止エリアΨｓは、
【数２０】
2009510854.tif 000023
に等しい数のピクセルを含ませることにより更新され、これらは、上記定義された順序付け関数Ｒ（ｍ，ｎ）ｊをセットΩｊｓに適用することにより行われるソーティングに従って第１ピクセルから開始して、ネットワークサービスｓに関してセルＣｊのサービスエリアを形成するピクセルのセットΩｊｓから得られる。このようにセルサービスエリアが制限される。より一般的には、セルＣｊのセルサービスエリアの大きさ（ピクセル数で示す）は、計算されたセルアップリンク負荷率と最大負荷率との差に依存した仕方で、特に該差に比例して制限し得る。
【００７３】
次に、計画中のエリアに属する各ピクセル（ｍ，ｎ）、及び当該ピクセル上に位置する各仮想ＵＥについて、各ネットワークサービスのためにＵＥに要求される送信パワーが次の通り初期化される（ブロック３３５）。
【数２１】
2009510854.tif 000024
【００７４】
その後、本質的に前のループに類似した別のループに入る。このループの各反復では、有効な周波数帯域の全体にわたってアップリンクにおいて一般的なセルＣｊが受信した全パワーＲＴＷＰｊが、上記説明した様にして計算され（ブロック３４０）、次に、ＵＥに要求される必要送信パワーの新しい値が、計画中のエリアのすべてのピクセル（ｍ，ｎ）及びすべてのネットワークサービスｓについて計算される（ブロック３４５）。
【００７５】
計算されたＵＥ送信パワーに関する限り、安定条件に達したなら、ループから出る（判断ブロック３５０）。特に、安定性の条件は、前に使用されたのと同じ許容範囲Ｔｏｌｌ＿ＵＥ＿Ｐｗとし得るパワー許容範囲を設定することで決定される。ループにおける一般的な（ｋ−１）回目から次のｋ回目の反復に移動する際に、計画中のエリアの各ピクセル（ｍ，ｎ）及び各サービスｓについて次の条件を満たせば、安定条件に達したと判定される。
【数２２】
2009510854.tif 000025
【００７６】
よって、記載された本発明の態様によると、過密制御ステップ３３０により、アップリンクにおけるセル負荷を制御することができると共に、結果として過負荷になるセル（すなわち、計算された負荷率が最大許容負荷率を超えるようなセル）の各々についてピクセルのセットをアップリンクパワー制御段階で考慮から外すことができる。このように、アップリンクパワー制御段階の前にアドミッション制御段階を実行する必要がなくなる。上記説明した本発明の態様に従って実行されたアップリンク分析の結果は、多少現実的な仮定によっては影響されないが、そうでない場合には、特にアップリンクにおける干渉に関してアドミッション制御段階を実行すべきである。すなわち、実際にはセル負荷はアップリンクパワー制御段階において直接制御される。
【００７７】
このアプローチにより、従来の計画方法の限界を克服でき、サービスエリアの大きさ設定が更に正確になるので、供給トラヒック及びネットワーク性能についての概算が更に改善される。
【００７８】
上記説明した方法はハードウェアによるか、又はソフトウエアによるか、又は一部をハードウェアで一部をソフトウエアにより実行できる。特に、本方法は、パーソナルコンピュータやワークステーションなどのように適切にプログラミングされたデータ処理装置又はシステムにより実行できる。汎用コンピュータ４００の構造を図４に概略的に示す。
【００７９】
コンピュータ４００は、システムバス４０３に並列に接続されたいくつかの装置から構成される。詳しくは、１つの（場合によっては複数の）プロセッサ（μｐ）４０６がコンピュータ４００の動作を制御する。ＲＡＭ４０９がワーキングメモリとしてマイクロプロセッサ４０６により直接使用され、ＲＯＭ４１１がコンピュータ４００のブートストラップ用の基本コードを記憶する。周辺装置が（それぞれのインタフェースにより）ローカルバス４１３に接続される。特に、大容量記憶装置がハードディスク４１５とＣＤ-ＲＯＭ／ＤＶＤ-ＲＯＭ４１９を読み取るためのＣＤ-ＲＯＭ／ＤＶＤ-ＲＯＭドライブ４１７とを備える。また、一般にコンピュータ４００は入力装置４２１（例えばキーボードやマウス）と出力装置４２３（ディスプレイ装置（モニター）やプリンタなど）とを含む。コンピュータ４００をネットワーク４２７（例えばＬＡＮ）に接続するためにネットワーク・インタフェース・カード（ＮＩＣ）４２５が用いられる。ブリッジ装置４２９がシステムバス４０３とローカルバス４１３をインタフェースする。各マイクロプロセッサ４０６及びブリッジ装置４２９は、情報を伝送するためにシステムバス４０３へのアクセスを要求するマスターエージェントとして動作することができ、アービター４３１がシステムバス４０３へのアクセスの許可を管理する。
【００８０】
図５は、本発明の一態様により上記のアップリンク分析方法を実行できる主要なコンピュータプログラム要素を図示する。特に、図５は図４のコンピュータのワーキングメモリ４０９の部分的な内容を概略的に示す。一般に情報（プログラムとデータ）は、ハードディスクに記憶され、プログラムが実行されるときにワーキングメモリにロードされる（少なくとも部分的に）。最初にプログラムを例えばＣＤ-ＲＯＭ又はＤＶＤ-ＲＯＭからハードディスクにインストールしてもよいし、例えば分散サーバー装置からデータ通信ネットワーク４２７を介してダウンロードしてもよい。
【００８１】
プログラムへの入力５００としては、例えばセルの数と位置、提供が予定されているネットワークサービス、計画エリアのピクセルにおけるトラヒックとその分布、ＵＥ及びセルの送信パワー定格などが挙げられる。
【００８２】
所要送信パワー初期化モジュール５０５が、トラヒックチャネル及びサービス当たりのＵＥの必要送信パワーｐ（ｍ，ｎ），ｓＤＣＨを表す変数５１０の値を（例えば０に）初期化する。同様に、サービス停止エリア初期化モジュール５１５が、種々のネットワークサービスのサービス停止エリアΨｓを表す変数５２０を（例えば、空のセットに）初期化する。
【００８３】
全受信パワー計算モジュール５２５が、ネットワークセルが受信する全パワーＲＴＷＰを計算して上記の式を適用し、所要送信パワー計算モジュール５３０がＵＥの必要送信パワーｐ（ｍ，ｎ），ｓＤＣＨの値を計算して変数５１０の値を更新する。所要送信パワー計算モジュール５３０の結果に基づいて、サービス停止エリア計算モジュール５３５がサービス停止エリアΨｓを再計算し、変数５２０の値を更新する。
【００８４】
収束検出モジュール５４０が、現在の反復において計算された送信パワーと前の反復において計算された送信パワーとの差が所定の許容範囲内にあるか否かを調べることにより、収束に達した時を検出する。過密検出モジュール５４０が、安定条件に達したとき反復を停止させることができる（スイッチ５４３により略示）。
【００８５】
過密コントローラモジュール５４５が過密状態の制御を行なう。負荷率計算器５５０が種々のセルの負荷率を計算し、負荷率制御モジュール５５５が、負荷率が所定の最大負荷率を超えている過負荷の過密セルが存在するか否かを確認する。過密セルについて、セル過密解消モジュール５６０が、上記で詳細に説明した手順に従ってサービス停止エリアから選択されたピクセルを除去する。
【００８６】
マン-マシン・インタフェース・モジュール５６５、例えばグラフィカル・ユーザー・インタフェースにより、ダウンリンクパワー制御アルゴリズムの結果を表示できる。
【００８７】
いくつかの態様により本発明を開示し説明したが、特許請求の範囲に記載の本発明の思想又は本質的な特徴／範囲から逸脱することなく、記載された態様に対する変更及び本発明の他の態様が可能であるのは当業者には明らかである。
【図面の簡単な説明】
【００８８】
【図１】計画されるＵＭＴＳネットワークの一部を図示し、該ＵＭＴＳネットワークは複数のネットワークセルを有しそれぞれの地理的エリアをカバーする。
【図２】ネットワーク計画プロセスの主なステップの概略フローチャートである。
【図３】本発明の一態様によるネットワーク計画プロセスのアップリンク分析方法の概略フローチャートである。
【図４】適当にプログラミングされ本発明の一態様による方法を実行できるデータ処理装置の主な機能要素を概略的に示す。
【図５】図４のデータ処理装置上で実行される際に本発明の一態様による方法を実行するプログラムの主な構成要素を概略的に示す。
【符号の説明】
【００８９】
１００    セル式移動通信網
１０５    ａ、１０５ｂ    ノードＢ
１１０    無線ネットワークコントローラ（ＲＮＣ）
１１５    コアネットワーク
１２５    ユーザー機器（ＵＥ）
Ｃ１、Ｃ２、Ｃ３、Ｃ４、Ｃｎ    ネットワークセル
【図１】
2009510854.tif 000026
【図２】
2009510854.tif 000027
【図３】
2009510854.tif 000028
【図４】
2009510854.tif 000029
【図５】
2009510854.tif 000030
【国際調査報告】
2009510854.tif 000031
2009510854.tif 000032
2009510854.tif 000033